【手続補正書】
【提出日】平成17年9月12日(2005.9.12)
【手続補正１】
【補正対象書類名】明細書
【補正対象項目名】特許請求の範囲
【補正方法】変更
【補正の内容】
【特許請求の範囲】
【請求項１】（ａ）１１位、１３位、１４位、１６位、２０位、２２位、６６位、および８１位からなる群より選択される位置に１以上の塩基性アミノ酸置換を含む図１（配列番号：１）に示されるαサブユニット；および／または、
（ｂ）１位、１７位、５８位、６３位、および６９位からなる群より選択される位置に１以上の塩基性アミノ酸置換を含む図２（配列番号：２）に示されるβサブユニット；および／または、
（ｃ）６位、１３位および１４位からなる群より選択される位置に１以上の極性アミノ酸置換を含む図２（配列番号：２）に示されるβサブユニット；
を含み、ここで、突然変異体ＴＳＨヘテロ二量体のβサブユニットが、図３（配列番号：３）に示される絨毛性性腺刺激ホルモン（ＣＧ）のβサブユニットのカルボキシル末端エクステンションペプチド（ＣＴＥＰ）に結合している、突然変異体ＴＳＨヘテロ二量体。
【請求項２】ＴＳＨβサブユニットが、カルボキシ末端で、ＣＧのカルボキシル末端エクステンションペプチドのアミノ末端に共有結合している、請求項１に記載の突然変異体ＴＳＨヘテロ二量体。
【請求項３】ＴＳＨβサブユニットが、ＣＧのカルボキシル末端エクステンションペプチドにペプチド結合を介して結合している、請求項１に記載の突然変異体ＴＳＨヘテロ二量体。
【請求項４】ヘテロ二官能性試薬が、ＴＳＨβサブユニットと、ＣＧのカルボキシル末端エクステンションペプチド間の共有結合を形成するために使用される、請求項１に記載の突然変異体ＴＳＨヘテロ二量体。
【請求項５】ＣＧがヒトＣＧである、請求項１に記載の突然変異体ＴＳＨヘテロ二量体。
【請求項６】突然変異体ＴＳＨのホルモン半減期が野生型ＴＳＨよりも大きい、請求項１に記載の突然変異体ＴＳＨヘテロ二量体。
【請求項７】突然変異体ＴＳＨのインビボでの循環中のホルモン半減期が野生型ＴＳＨよりも大きい、請求項６に記載の突然変異体ＴＳＨヘテロ二量体。
【請求項８】突然変異体ＴＳＨヘテロ二量体が野生型ＴＳＨよりも大きな生物活性を持つ、請求項１に記載の突然変異体ＴＳＨヘテロ二量体。
【請求項９】ＣＴＥＰが、図３（配列番号：４）に示される核酸によりコードされる、請求項１に記載の突然変異体ＴＳＨヘテロ二量体。
【請求項１０】塩基性アミノ酸がリシンまたはアルギニンである、請求項１に記載の突然変異体ＴＳＨヘテロ二量体。
【請求項１１】αサブユニット置換が、Ｔ１１Ｋ、Ｑ１３Ｋ、Ｅ１４Ｋ、Ｐ１６Ｋ、Ｑ２０Ｋ、Ｇ２２Ｒ、Ｎ６６Ｋ、およびＡ８１Ｋからなる群より選択される、請求項１に記載の突然変異体ＴＳＨヘテロ二量体。
【請求項１２】塩基性βサブユニット置換が、Ｆ１Ｒ、Ａ１７Ｒ、Ｉ５８Ｒ、Ｅ６３Ｒ、およびＬ６９Ｒからなる群より選択される、請求項１に記載の突然変異体ＴＳＨヘテロ二量体。
【請求項１３】極性βサブユニット置換が、Ｅ６Ｎ、Ｒ１３Ｅ、およびＲ１４Ｅからなる群より選択される、請求項１に記載の突然変異体ＴＳＨヘテロ二量体。
【請求項１４】（ａ）１１位、１３位、１４位、１６位、２０位、２２位、６６位、および８１位からなる群より選択される１以上の位置に塩基性アミノ酸置換を含む様に修飾された、図１（配列番号：１）に示されるαサブユニット；および、
（ｂ）図２（配列番号：２）に示されるβサブユニット
を含み、ここで、ＴＳＨのβサブユニットが、図３（配列番号：３）に示される絨毛性性腺刺激ホルモン（ＣＧ）のβサブユニットのＣＴＥＰに結合している、請求項１に記載の突然変異体ＴＳＨヘテロ二量体。
【請求項１５】ＴＳＨβサブユニットが、カルボキシ末端で、ＣＧのカルボキシル末端エクステンションペプチドのアミノ末端に共有結合している、請求項１４に記載の突然変異体ＴＳＨヘテロ二量体。
【請求項１６】ＴＳＨβサブユニットが、ＣＧのカルボキシル末端エクステンションペプチドにペプチド結合を介して結合している、請求項１４に記載の突然変異体ＴＳＨヘテロ二量体。
【請求項１７】ヘテロ二官能性試薬が、ＴＳＨβサブユニットと、ＣＧのカルボキシル末端エクステンションペプチド間の共有結合を形成するために使用される、請求項１４に記載の突然変異体ＴＳＨヘテロ二量体。
【請求項１８】ＣＧがヒトＣＧである、請求項１４に記載の突然変異体ＴＳＨヘテロ二量体。
【請求項１９】突然変異体ＴＳＨのホルモン半減期が野生型ＴＳＨよりも大きい、請求項１４に記載の突然変異体ＴＳＨヘテロ二量体。
【請求項２０】突然変異体ＴＳＨのインビボでの循環中のホルモン半減期が野生型ＴＳＨよりも大きい、請求項１９に記載の突然変異体ＴＳＨヘテロ二量体。
【請求項２１】突然変異体ＴＳＨヘテロ二量体が野生型ＴＳＨよりも大きな生物活性を持つ、請求項１４に記載の突然変異体ＴＳＨヘテロ二量体。
【請求項２２】ＣＴＥＰが、図３（配列番号：４）に示される核酸によりコードされる、請求項１４に記載の突然変異体ＴＳＨヘテロ二量体。
【請求項２３】塩基性アミノ酸がアルギニンまたはリシンである、請求項１４に記載の突然変異体ＴＳＨヘテロ二量体。
【請求項２４】αサブユニットが、置換Ｑ１３Ｋ＋Ｅ１４Ｋ＋Ｐ１６Ｋ＋Ｑ２０Ｋを含む、請求項１４に記載の突然変異体ＴＳＨヘテロ二量体。
【請求項２５】αサブユニットが、アミノ酸修飾Ｇ２２Ｒを含む、請求項１４に記載の突然変異体ＴＳＨヘテロ二量体。
【請求項２６】αサブユニットにおける塩基性アミノ酸置換が、Ｔ１１Ｋ、Ｑ１３Ｋ、Ｅ１４Ｋ、Ｐ１６Ｋ、Ｑ２０Ｋ、Ｇ２２Ｒ、Ｎ６６Ｋ、およびＡ８１Ｋからなる群より選択される、請求項１４に記載の突然変異体ＴＳＨヘテロ二量体。
【請求項２７】ＴＳＨヘテロ二量体が野生型βサブユニットを含む、請求項１４に記載の突然変異体ＴＳＨヘテロ二量体。
【請求項２８】ＴＳＨヘテロ二量体が、１位、１７位、５８位、６３位、および６９位からなる群より選択される位置に１以上の塩基性アミノ酸を有する修飾されたβサブユニットを含む、請求項１４に記載の突然変異体ＴＳＨヘテロ二量体。
【請求項２９】１以上の塩基性アミノ酸置換が、Ｆ１Ｒ、Ａ１７Ｒ、Ｉ５８Ｒ、Ｅ６３Ｒ、およびＬ６９Ｒからなる群より選択される、請求項２８に記載の突然変異体ＴＳＨヘテロ二量体。
【請求項３０】βサブユニットが置換Ｉ５８Ｒ＋Ｅ６３Ｒ＋Ｌ６９Ｒを含む、請求項１４に記載の突然変異体ＴＳＨヘテロ二量体。
【請求項３１】ＴＳＨヘテロ二量体が、Ｅ６Ｎ、Ｒ１３ＥおよびＲ１４Ｅからなる群より選択される１以上のアミノ酸置換を含む修飾されたβサブユニットを含む、請求項１４に記載の突然変異体ＴＳＨヘテロ二量体。
【請求項３２】Ｆ１、Ａ１７、Ｉ５８、Ｅ６３、およびＬ６９からなる群より選択される位置に１以上の塩基性アミノ酸置換を有する、または、位置Ｅ６、Ｒ１３、およびＲ１４における置換からなる群より選択される１以上の極性アミノ酸置換を有する、図２（配列番号：２）に示されるβサブユニットを含み、ここで、ＴＳＨのβサブユニットが、図３（配列番号：３）に示される絨毛性性腺刺激ホルモン（ＣＧ）のβサブユニットのＣＴＥＰに結合している、請求項１に記載の突然変異体ＴＳＨヘテロ二量体。
【請求項３３】ＴＳＨβサブユニットが、カルボキシ末端で、ＣＧのカルボキシル末端エクステンションペプチドのアミノ末端に共有結合している、請求項３２に記載の突然変異体ＴＳＨ。
【請求項３４】ＴＳＨβサブユニットが、ＣＧのカルボキシル末端エクステンションペプチドにペプチド結合を介して結合している、請求項３２に記載の突然変異体ＴＳＨ。
【請求項３５】ヘテロ二官能性試薬が、ＴＳＨβサブユニットと、ＣＧのカルボキシル末端エクステンションペプチド間の共有結合を形成するために使用される、請求項３２に記載の突然変異体ＴＳＨ。
【請求項３６】ＣＧがヒトＣＧである、請求項３２に記載の突然変異体ＴＳＨ。
【請求項３７】突然変異体ＴＳＨのホルモン半減期が野生型ＴＳＨよりも大きい、請求項３２に記載の突然変異体ＴＳＨ。
【請求項３８】突然変異体ＴＳＨのインビボでの循環中のホルモン半減期が野生型ＴＳＨよりも大きい、請求項３７に記載の突然変異体ＴＳＨ。
【請求項３９】突然変異体ＴＳＨが野生型ＴＳＨよりも大きな生物活性を持つ、請求項３２に記載の突然変異体ＴＳＨ。
【請求項４０】ＣＴＥＰが、図３（配列番号：４）に示される核酸によりコードされる、請求項３２に記載の突然変異体ＴＳＨ。
【請求項４１】塩基性アミノ酸がリシンまたはアルギニンである、請求項３２に記載の突然変異体ＴＳＨ。
【請求項４２】βサブユニットにおける塩基性アミノ酸置換が、Ｆ１Ｒ、Ａ１７Ｒ、Ｉ５８Ｒ、Ｅ６３Ｒ、およびＬ６９Ｒからなる群より選択される、請求項３２に記載の突然変異体ＴＳＨ。
【請求項４３】βサブユニットにおける極性アミノ酸置換が、Ｅ６Ｎ、Ｒ１３Ｅ、およびＲ１４Ｅからなる群より選択される、請求項３２に記載の突然変異体ＴＳＨ。
【請求項４４】図１（配列番号：１）に示される野生型αサブユニットをさらに含む、請求項３２に記載の突然変異体ＴＳＨ。
【請求項４５】図１（配列番号：１）に示される修飾されたαサブユニットをさらに含む、請求項３２に記載の突然変異体ＴＳＨ。
【請求項４６】修飾されたαサブユニットが、アミノ酸置換Ｑ１３Ｋ＋Ｅ１４Ｋ＋Ｐ１６Ｋ＋Ｑ２０Ｋを含む、請求項４５に記載の突然変異体ＴＳＨ。
【請求項４７】修飾されたαサブユニットが、アミノ酸修飾Ｇ２２Ｒを含む、請求項４５に記載の突然変異体ＴＳＨ。
【請求項４８】修飾されたαサブユニットが、１１位、１３位、１４位、１６位、２０位、２２位、６６位、および８１位からなる群より選択される１以上の塩基性アミノ酸置換を含む、請求項４５に記載の突然変異体ＴＳＨヘテロ二量体。
【請求項４９】修飾されたαサブユニットが、Ｔ１１Ｋ、Ｑ１３Ｋ、Ｅ１４Ｋ、Ｐ１６Ｋ、Ｑ２０Ｋ、Ｇ２２Ｒ、Ｎ６６Ｋ、およびＡ８１Ｋからなる群より選択される１以上の塩基性アミノ酸置換を含む、請求項４８に記載の突然変異体ＴＳＨ。
【請求項５０】請求項１〜４９のいずれかに記載の精製された突然変異体ＴＳＨ。
【請求項５１】甲状腺機能低下症を治療または予防するのに充分な量の請求項１〜５０のいずれかに記載のＴＳＨヘテロ二量体をそのような治療または予防が望まれる被験体に投与することを包含する、甲状腺機能低下症を治療または予防する方法。
【請求項５２】甲状腺癌を治療する方法であって、ヨウ素取込みを刺激するのに充分な量の請求項１〜５０のいずれかに記載の突然変異体ＴＳＨヘテロ二量体をそのような治療または予防が望まれる被験体に投与し、続いて甲状腺癌を治療するのに充分な量の放射性標識したヨウ素を該被験体に投与することを包含する、方法。
【請求項５３】甲状腺癌を診断する方法であって、甲状腺癌細胞によるヨウ素の取込みを刺激するのに充分な量の請求項１〜５０のいずれかに記載の突然変異体ＴＳＨヘテロ二量体および甲状腺癌を診断するのに充分な量の放射性標識したヨウ素を被験体に投与し；該放射性標識したヨウ素を検出することを包含し、ここで、甲状腺疾患を有しない被験体に対する放射性標識されたヨウ素の取込みの増加は該被験体が甲状腺癌を有することを示す、方法。
【請求項５４】甲状腺癌を診断する方法であって、甲状腺癌細胞によるヨウ素の取込みを刺激するのに充分な量の請求項１〜５０のいずれかに記載の突然変異体ＴＳＨヘテロ二量体および甲状腺癌を診断するのに充分な量の放射性標識したヨウ素を非癌性甲状腺細胞を欠如する被験体に投与し；該放射性標識したヨウ素を検出することを包含し、ここで、放射性標識したヨウ素の取込みの増加は該被験体が甲状腺癌を有することを示す、方法。
【請求項５５】甲状腺癌を診断する方法であって、インビボでサイログロブリンの放出を刺激するのに充分な量の請求項１〜５０のいずれかに記載の突然変異体ＴＳＨヘテロ二量体を第１被験体に投与し；該第１被験体中のサイログロブリンのレベルを測定することを包含し、ここで、甲状腺癌を有しない第２被験体のサンプル中のサイログロブリン・レベルに対するサイログロブリン・レベルの増加は該第１被験体が甲状腺癌を有することを示す、方法。
【請求項５６】ＴＳＨレセプターに対する抗体の存在によって特徴付けられる疾患または疾病を診断またはスクリーニングする方法であって、ＴＳＨレセプターを含む培養細胞または単離膜を第１被験体からの抗体を推定的に含むサンプルおよび請求項１〜５０のいずれかに記載の放射性標識された突然変異体ＴＳＨヘテロ二量体の診断的有効量と接触させ；放射性標識された突然変異体ＴＳＨの培養細胞または単離膜への結合を測定することを包含し、ここで、該サンプルの非存在下または該疾患もしくは疾病を有しない第２被験体のサンプルの存在下での結合に対する放射性標識ＴＳＨの結合の低下が該第１被験体中での該疾患または疾病の存在を示す、方法。
【請求項５７】疾患または疾病がグレーブズ病である、請求項５６に記載の方法。
【請求項５８】治療的有効量の請求項１〜５０のいずれかに記載の突然変異体ＴＳＨヘテロ二量体；および薬学的に許容される担体を含む薬学的組成物。
【請求項５９】甲状腺癌細胞によるヨウ素取込みを刺激するのに充分な量の請求項１〜５０のいずれかに記載の突然変異体ＴＳＨヘテロ二量体；および薬学的に許容される担体を含む診断的組成物。
【請求項６０】１以上の容器中に治療的有効量の請求項１〜５０のいずれかに記載の突然変異体ＴＳＨヘテロ二量体を含むキット。
【請求項６１】１以上の容器中に診断的有効量の請求項１〜５０のいずれかに記載の突然変異体ＴＳＨヘテロ二量体を含むキット。
【請求項６２】請求項１〜５０のいずれかに記載の突然変異体ＴＳＨに対する抗体。
【請求項６３】抗体がモノクローナル抗体である、請求項６２に記載の抗体。
【請求項６４】（ａ）１１位、１３位、１４位、１６位、２０位、２２位、６６位、および８１位からなる群より選択される位置に１以上の塩基性アミノ酸置換を含む図１（配列番号：１）に示されるαサブユニット；および／または、
（ｂ）１位、１７位、５８位、６３位、および６９位からなる群より選択される位置に１以上の塩基性アミノ酸置換を含む図２（配列番号：２）に示されるβサブユニット；および／または、
（ｃ）６位、１３位、および１４位からなる群より選択される位置に１以上の極性アミノ酸置換を含む図２（配列番号：２）に示されるβサブユニット；
を含み、ここで、αサブユニットとβサブユニットが単一鎖として融合している、単一鎖ＴＳＨ。
【請求項６５】置換された塩基性アミノ酸がリシンまたはアルギニンである、請求項６４に記載の単一鎖ＴＳＨ。
【請求項６６】αサブユニットが、Ｔ１１Ｋ、Ｑ１３Ｋ、Ｅ１４Ｋ、Ｐ１６Ｋ、Ｑ２０Ｋ、Ｇ２２Ｒ、Ｎ６６Ｋ、およびＡ８１Ｋからなる群より選択される１以上のアミノ酸置換を含む、請求項６５に記載の単一鎖ＴＳＨ。
【請求項６７】αサブユニットが、置換Ｑ１３Ｋ＋Ｅ１４Ｋ＋Ｐ１６Ｋ＋Ｑ２０Ｋを含む、請求項６５に記載の単一鎖ＴＳＨ。
【請求項６８】βサブユニットが、Ｆ１Ｒ、Ａ１７Ｒ、Ｉ５８Ｒ、Ｅ６３Ｒ、およびＬ６９Ｒからなる群より選択される１以上の塩基性アミノ酸置換を含む、請求項６５に記載の単一鎖ＴＳＨ。
【請求項６９】βサブユニットがＩ５８Ｒ＋Ｅ６３Ｒ＋Ｌ６９Ｒである、請求項６５に記載の単一鎖ＴＳＨ。
【請求項７０】βサブユニットが、Ｅ６Ｎ、Ｒ１３Ｅ、およびＲ１４Ｅからなる群より選択される１以上の極性アミノ酸置換を含む、請求項６４に記載の単一鎖ＴＳＨ。
【請求項７１】単一鎖ＴＳＨが、野生型ＴＳＨと比較して延長されたホルモン半減期を持つ、請求項６４〜７０のいずれかに記載の単一鎖ＴＳＨ。
【請求項７２】単一鎖ＴＳＨが、野生型ＴＳＨと比較して延長されたインビボでのホルモン循環半減期を持つ、請求項６４〜７０のいずれかに記載の単一鎖ＴＳＨ。
【請求項７３】単一鎖ＴＳＨが、野生型ＴＳＨと比較して増強された安定性を持つ、請求項６４〜７０のいずれかに記載の単一鎖ＴＳＨ。
【請求項７４】単一鎖ＴＳＨが、野生型ＴＳＨよりも大きな生物活性を持つ、請求項６４〜７０のいずれかに記載の単一鎖ＴＳＨ。
【請求項７５】ＴＳＨのβサブユニットが、図３（配列番号：３）に示される絨毛性性腺刺激ホルモン（ＣＧ）のβサブユニットのカルボキシル末端エクステンションペプチド（ＣＴＥＰ）に結合している、請求項６４に記載の単一鎖ＴＳＨ。
【請求項７６】ＴＳＨβサブユニットが、カルボキシ末端で、ＣＧのカルボキシル末端エクステンションペプチドのアミノ末端に共有結合している、請求項７５に記載の単一鎖ＴＳＨ。
【請求項７７】ＴＳＨβサブユニットが、ＣＧのカルボキシル末端エクステンションペプチドにペプチド結合を介して結合している、請求項７５に記載の単一鎖ＴＳＨ。
【請求項７８】ヘテロ二官能性試薬が、ＴＳＨβサブユニットと、ＣＧのカルボキシル末端エクステンションペプチド間の共有結合を形成するために使用される、請求項７５に記載の単一鎖ＴＳＨ。
【請求項７９】ＣＧがヒトＣＧである、請求項７５に記載の単一鎖ＴＳＨ。
【請求項８０】αサブユニットが、ペプチド・リンカーを介してβサブユニットに結合している、請求項６４に記載の単一鎖ＴＳＨ。
【請求項８１】ペプチド・リンカーが、高いセリン／プロリン含量を有し、重要な二次構造を欠如している、請求項８０に記載の単一鎖ＴＳＨ。
【請求項８２】ペプチド・リンカーが、図３（配列番号：３）に示される絨毛性性腺刺激ホルモン（ＣＧ）のβサブユニットのカルボキシル末端エクステンションペプチド（ＣＴＥＰ）である、請求項８０に記載の単一鎖ＴＳＨ。
【請求項８３】ペプチド・リンカーが、ヒトＣＧのＣＴＥＰである、請求項８２に記載の単一鎖ＴＳＨ。
【請求項８４】ＣＴＥＰが、図３に示される配列番号：４の核酸によりコードされる、請求項８２に記載の単一鎖ＴＳＨ。
【請求項８５】（ａ）Ｔ１１、Ｑ１３、Ｅ１４、Ｐ１６、Ｑ２０、Ｇ２２、Ｎ６６、およびＡ８１からなる群より選択される１以上の塩基性アミノ酸置換を有する図１（配列番号：１）に示されるαサブユニット；および、
（ｂ）図２（配列番号：２）に示されるβサブユニット、
を含み、ここで、αサブユニットとβサブユニットが融合して単一鎖ＴＳＨを形成している、単一鎖ＴＳＨ。
【請求項８６】塩基性アミノ酸がリシンまたはアルギニンである、請求項８５に記載の単一鎖ＴＳＨ。
【請求項８７】αサブユニットが、Ｔ１１Ｋ、Ｑ１３Ｋ、Ｅ１４Ｋ、Ｐ１６Ｋ、Ｑ２０Ｋ、Ｇ２２Ｒ、Ｎ６６Ｋ、およびＡ８１Ｋからなる群より選択される１以上のアミノ酸置換を含む、請求項８５に記載の単一鎖ＴＳＨ。
【請求項８８】αサブユニットが、置換Ｇ２２Ｒを含む、請求項８５に記載の単一鎖ＴＳＨ。
【請求項８９】αサブユニットが、置換Ｑ１３Ｋ＋Ｅ１４Ｋ＋Ｐ１６Ｋ＋Ｑ２０Ｋを含む、請求項８５に記載の単一鎖ＴＳＨ。
【請求項９０】βサブユニットが野生型である、請求項８５に記載の単一鎖ＴＳＨ。
【請求項９１】βサブユニットが、Ｆ１、Ａ１７、Ｉ５８、Ｅ６３、およびＬ６９からなる群より選択される位置に１以上の塩基性アミノ酸置換を有する図２に示されるアミノ酸配列を含む、請求項８５に記載の単一鎖ＴＳＨ。
【請求項９２】βサブユニットにおける１以上の塩基性アミノ酸置換が、Ｆ１Ｒ、Ａ１７Ｒ、Ｉ５８Ｒ、Ｅ６３Ｒ、およびＬ６９Ｒからなる群より選択される、請求項９１に記載の単一鎖ＴＳＨ。
【請求項９３】βサブユニットが、Ｅ６、Ｒ１３およびＲ１４からなる群より選択される位置に１以上の極性アミノ酸置換を有する図２に示されるアミノ酸配列を含む、請求項８５に記載の単一鎖ＴＳＨ。
【請求項９４】βサブユニットにおける１以上の極性アミノ酸置換が、Ｅ６Ｎ、Ｒ１３ＥおよびＲ１４Ｅからなる群より選択される、請求項９３に記載の単一鎖ＴＳＨ。
【請求項９５】単一鎖ＴＳＨが、野生型ＴＳＨと比較して延長されたホルモン半減期を持つ、請求項８５に記載の単一鎖ＴＳＨ。
【請求項９６】単一鎖ＴＳＨが、野生型ＴＳＨと比較して延長されたインビボでのホルモン循環半減期を持つ、請求項８５に記載の単一鎖ＴＳＨ。
【請求項９７】単一鎖ＴＳＨが、野生型ＴＳＨと比較して増強された安定性を持つ、請求項８５に記載の単一鎖ＴＳＨ。
【請求項９８】単一鎖ＴＳＨが、野生型ＴＳＨよりも大きな生物活性を持つ、請求項８５に記載の単一鎖ＴＳＨ。
【請求項９９】ＴＳＨのβサブユニットが、図３（配列番号：３）に示される絨毛性性腺刺激ホルモン（ＣＧ）のβサブユニットのカルボキシル末端エクステンションペプチド（ＣＴＥＰ）に結合している、請求項８５に記載の単一鎖ＴＳＨ。
【請求項１００】ＴＳＨβサブユニットが、カルボキシ末端でＣＧのカルボキシル末端エクステンションペプチドのアミノ末端に共有結合している、請求項９９に記載の単一鎖ＴＳＨ。
【請求項１０１】ＴＳＨβサブユニットが、ＣＧのカルボキシル末端エクステンションペプチドにペプチド結合を介して結合している、請求項９９に記載の単一鎖ＴＳＨ。
【請求項１０２】ヘテロ二官能性試薬が、ＴＳＨβサブユニットと、ＣＧのカルボキシル末端エクステンションペプチド間の共有結合を形成するために使用される、請求項９９に記載の単一鎖ＴＳＨ。
【請求項１０３】ＣＧがヒトＣＧである、請求項９９に記載の単一鎖ＴＳＨ。
【請求項１０４】αサブユニットが、ペプチド・リンカーを介してβサブユニットに結合している、請求項８５に記載の単一鎖ＴＳＨ。
【請求項１０５】ペプチド・リンカーが、高いセリン／プロリン含量を有し、重要な二次構造を欠如している、請求項１０４に記載の単一鎖ＴＳＨ。
【請求項１０６】ペプチド・リンカーが、図３（配列番号：３）に示される絨毛性性腺刺激ホルモン（ＣＧ）のβサブユニットのカルボキシル末端エクステンションペプチド（ＣＴＥＰ）である、請求項１０４に記載の単一鎖ＴＳＨ。
【請求項１０７】ペプチド・リンカーが、ヒトＣＧのＣＴＥＰである、請求項１０６に記載の単一鎖ＴＳＨ。
【請求項１０８】ＣＴＥＰが、図３に示される配列番号：４の核酸によりコードされる、請求項１０６に記載の単一鎖ＴＳＨ。
【請求項１０９】（ａ）１位、１７位、５８位、６３位、および６９位からなる群より選択される位置に１以上の塩基性アミノ酸置換を有する、および／または、６位、１３位、および１４位からなる群より選択される位置に１以上の極性アミノ酸置換を有する、図２（配列番号：２）に示されるＴＳＨβサブユニット；および、
（ｂ）図１（配列番号：１）に示されるＴＳＨαサブユニット、
を含み、ここで、αサブユニットとβサブユニットが融合して単一鎖を形成している、単一鎖ＴＳＨ。
【請求項１１０】塩基性アミノ酸がリシンまたはアルギニンである、請求項１０９に記載の単一鎖ＴＳＨ。
【請求項１１１】１以上の塩基性アミノ酸置換が、Ｆ１Ｒ、Ａ１７Ｒ、Ｉ５８Ｒ、Ｅ６３Ｒ、およびＬ６９Ｒからなる群より選択される、請求項１０９に記載の単一鎖ＴＳＨ。
【請求項１１２】１以上の極性アミノ酸置換が、Ｅ６Ｎ、Ｒ１３ＥおよびＲ１４Ｅからなる群より選択される、請求項１０９に記載の単一鎖ＴＳＨ。
【請求項１１３】αサブユニットが野生型である、請求項１０９に記載の単一鎖ＴＳＨ。
【請求項１１４】αサブユニットが、Ｔ１１、Ｑ１３、Ｅ１４、Ｐ１６、Ｑ２０、Ｇ２２、Ｎ６６、およびＡ８１からなる群より選択される１以上の塩基性アミノ酸置換をさらに含む、請求項１０９に記載の単一鎖ＴＳＨ。
【請求項１１５】αサブユニットにおける１以上の塩基性アミノ酸置換が、Ｔ１１Ｋ、Ｑ１３Ｋ、Ｅ１４Ｋ、Ｐ１６Ｋ、Ｑ２０Ｋ、Ｇ２２Ｒ、Ｎ６６Ｋ、およびＡ８１Ｋからなる群より選択される、請求項１１４に記載の単一鎖ＴＳＨ。
【請求項１１６】修飾されたαサブユニットが、置換Ｑ１３Ｋ＋Ｅ１４Ｋ＋Ｐ１６Ｋ＋Ｑ２０Ｋを含む、請求項１１５に記載の単一鎖ＴＳＨ。
【請求項１１７】単一鎖ＴＳＨが、野生型ＴＳＨと比較して延長されたホルモン半減期を持つ、請求項１０９に記載の単一鎖ＴＳＨ。
【請求項１１８】単一鎖ＴＳＨが、野生型ＴＳＨと比較して延長されたインビボでのホルモン循環半減期を持つ、請求項１０９に記載の単一鎖ＴＳＨ。
【請求項１１９】単一鎖ＴＳＨが、野生型ＴＳＨと比較して増強された安定性を持つ、請求項１０９に記載の単一鎖ＴＳＨ。
【請求項１２０】単一鎖ＴＳＨが野生型ＴＳＨよりも大きな生物活性を持つ、請求項１０９に記載の単一鎖ＴＳＨ。
【請求項１２１】ＴＳＨのβサブユニットが、図３（配列番号：３）に示される絨毛性性腺刺激ホルモン（ＣＧ）のβサブユニットのカルボキシル末端エクステンションペプチド（ＣＴＥＰ）に結合している、請求項１０９に記載の単一鎖ＴＳＨ。
【請求項１２２】ＴＳＨβサブユニットが、カルボキシ末端で、ＣＧのカルボキシル末端エクステンションペプチドのアミノ末端に共有結合している、請求項１２１に記載の単一鎖ＴＳＨ。
【請求項１２３】ＴＳＨβサブユニットが、ＣＧのカルボキシル末端エクステンションペプチドにペプチド結合を介して結合している、請求項１２１に記載の単一鎖ＴＳＨ。
【請求項１２４】ヘテロ二官能性試薬が、ＴＳＨβサブユニットと、ＣＧのカルボキシル末端エクステンションペプチド間の共有結合を形成するために使用される、請求項１２１に記載の単一鎖ＴＳＨ。
【請求項１２５】ＣＧがヒトＣＧである、請求項１２１に記載の単一鎖ＴＳＨ。
【請求項１２６】αサブユニットが、ペプチド・リンカーを介してβサブユニットに結合している、請求項１０９に記載の単一鎖ＴＳＨ。
【請求項１２７】ペプチド・リンカーが、高いセリン／プロリン含量を有し、重要な二次構造を欠如している、請求項１２６に記載の単一鎖ＴＳＨ。
【請求項１２８】ペプチド・リンカーが、図３（配列番号：３）に示される絨毛性性腺刺激ホルモン（ＣＧ）のβサブユニットのカルボキシル末端エクステンションペプチド（ＣＴＥＰ）である、請求項１２６に記載の単一鎖ＴＳＨ。
【請求項１２９】ペプチド・リンカーが、ヒトＣＧのＣＴＥＰである、請求項１２８に記載の単一鎖ＴＳＨ。
【請求項１３０】ＣＴＥＰが、図３に示される配列番号：４の核酸によりコードされる、請求項１２８に記載の単一鎖ＴＳＨ。
【請求項１３１】請求項６４〜１３０のいずれかに記載の精製された単一鎖ＴＳＨ。
【請求項１３２】甲状腺機能低下症を治療または予防するのに充分な量の請求項６４〜１３０のいずれかに記載の単一鎖ＴＳＨをそのような治療または予防が望まれる被験体に投与することを包含する、甲状腺機能低下症を治療または予防する方法。
【請求項１３３】甲状腺癌を治療する方法であって、ヨウ素取込みを刺激するのに充分な量の請求項６４〜１３０のいずれかに記載の単一鎖ＴＳＨをそのような治療または予防が望まれる被験体に投与し、続いて甲状腺癌を治療するのに充分な量の放射性標識したヨウ素を該被験体に投与することを包含する、方法。
【請求項１３４】甲状腺癌を診断する方法であって、甲状腺癌細胞によるヨウ素の取込みを刺激するのに充分な量の請求項６４〜１３０のいずれかに記載の単一鎖ＴＳＨおよび甲状腺癌を診断するのに充分な量の放射性標識したヨウ素を被験体に投与し；該放射性標識したヨウ素を検出することを包含し、ここで、甲状腺疾患を有しない被験体に対する放射性標識されたヨウ素の取込みの増加は該被験体が甲状腺癌を有することを示す、方法。
【請求項１３５】甲状腺癌を診断する方法であって、甲状腺癌細胞によるヨウ素の取込みを刺激するのに充分な量の請求項６４〜１３０のいずれかに記載の単一鎖ＴＳＨおよび甲状腺癌を診断するのに充分な量の放射性標識したヨウ素を非癌性甲状腺細胞を欠如する被験体に投与し；該放射性標識したヨウ素を検出することを包含し、ここで、放射性標識したヨウ素の取込みの増加は該被験体が甲状腺癌を有することを示す、方法。
【請求項１３６】甲状腺癌を診断する方法であって、インビボでサイログロブリンの放出を刺激するのに充分な量の請求項６４〜１３０のいずれかに記載の単一鎖ＴＳＨを第１被験体に投与し；該第１被験体中のサイログロブリンのレベルを測定することを包含し、ここで、甲状腺癌を有しない第２被験体のサンプル中のサイログロブリン・レベルに対するサイログロブリン・レベルの増加は該第１被験体が甲状腺癌を有することを示す、方法。
【請求項１３７】ＴＳＨレセプターに対する抗体の存在によって特徴付けられる疾患または疾病を診断またはスクリーニングする方法であって、ＴＳＨレセプターを含む培養細胞または単離膜を第１被験体からの抗体を推定的に含むサンプルおよび請求項６４〜１３０のいずれかに記載の放射性標識された単一鎖ＴＳＨの診断的有効量と接触させ；放射性標識された突然変異体ＴＳＨの培養細胞または単離膜への結合を測定することを包含し、ここで、該サンプルの非存在下または該疾患もしくは疾病を有しない第２被験体のサンプルの存在下での結合に対する放射性標識ＴＳＨの結合の低下が該第１被験体中での該疾患または疾病の存在を示す、方法。
【請求項１３８】疾患または疾病がグレーブズ病である、請求項１３７に記載の方法。
【請求項１３９】治療的有効量の請求項６４〜１３０のいずれかに記載の単一鎖ＴＳＨ；および薬学的に許容される担体を含む薬学的組成物。
【請求項１４０】甲状腺癌細胞によるヨウ素取込みを刺激するのに充分な量の請求項６４〜１３０のいずれかに記載の単一鎖ＴＳＨ；および薬学的に許容される担体を含む診断的組成物。
【請求項１４１】１以上の容器中に治療的有効量の請求項６４〜１３０のいずれかに記載の単一鎖ＴＳＨを含むキット。
【請求項１４２】１以上の容器中に診断的有効量の請求項６４〜１３０のいずれかに記載の単一鎖ＴＳＨを含むキット。
【請求項１４３】請求項６４〜１３０のいずれかに記載の突然変異体ＴＳＨヘテロ二量体に対する抗体。
【請求項１４４】抗体がモノクローナル抗体である、請求項１４３に記載の抗体。
【請求項１４５】図２（配列番号：２）で示されるβサブユニットのアミノ酸配列のＦ１およびＡ１７からなる群より選択される位置に１以上の塩基性アミノ酸置換を含む、および／または、Ｅ６、Ｒ１３およびＲ１４からなる群より選択される位置に１以上の極性アミノ酸置換を含む、甲状腺刺激ホルモン（ＴＳＨ）の突然変異体βサブユニット。
【請求項１４６】塩基性アミノ酸置換が、Ｆ１ＲおよびＡ１７Ｒからなる群より選択される、請求項１４５に記載の突然変異体βサブユニット。
【請求項１４７】極性アミノ酸置換が、Ｅ６Ｎ、Ｒ１３ＥおよびＲ１４Ｅからなる群より選択される、請求項１４５に記載の突然変異体βサブユニット。
【請求項１４８】Ｉ５８、Ｅ６３およびＬ６９からなる群より選択される位置に１以上の追加の塩基性アミノ酸置換をさらに含む、請求項１４５に記載の突然変異体βサブユニット。
【請求項１４９】１以上の追加の塩基性アミノ酸置換が、Ｉ５８Ｒ、Ｅ６３ＲおよびＬ６９Ｒからなる群より選択される、請求項１４５に記載の突然変異体βサブユニット。
【請求項１５０】βサブユニットが、Ｆ１Ｒ、Ｅ６ＮおよびＡ１７Ｒ置換を含む、請求項１４５に記載の突然変異体βサブユニット。
【請求項１５１】βサブユニットが、Ｆ１ＲおよびＥ６Ｎ置換を含む、請求項１４５に記載の突然変異体βサブユニット。
【請求項１５２】精製された、請求項１４５〜１５１のいずれかに記載の突然変異体βサブユニット。
【請求項１５３】突然変異体ＴＳＨβサブユニットが、図３（配列番号：３）に示される絨毛性性腺刺激ホルモン（ＣＧ）のβサブユニットのカルボキシル末端エクステンションペプチド（ＣＴＥＰ）に結合している、請求項１４５〜１５１のいずれかに記載の突然変異体βサブユニット。
【請求項１５４】突然変異体ＴＳＨβサブユニットが、カルボキシ末端で、ＣＧのカルボキシル末端エクステンションペプチドのアミノ末端に共有結合している、請求項１５３に記載の突然変異体βサブユニット。
【請求項１５５】突然変異体ＴＳＨβサブユニットが、ＣＧのカルボキシル末端エクステンションペプチドにペプチド結合を介して結合している、請求項１５４に記載の突然変異体βサブユニット。
【請求項１５６】ヘテロ二官能性試薬が、ＴＳＨβサブユニットと、ＣＧのカルボキシル末端エクステンションペプチド間の共有結合を形成するために使用される、請求項１５４に記載の突然変異体βサブユニット。
【請求項１５７】ＣＧがヒトＣＧである、請求項１５４に記載の突然変異体βサブユニット。
【請求項１５８】突然変異体ＴＳＨβサブユニットのホルモン半減期が野生型ＴＳＨβサブユニットよりも大きい、請求項１５４に記載の突然変異体βサブユニット。
【請求項１５９】突然変異体ＴＳＨβサブユニットのインビボでの循環中のホルモン半減期が野生型ＴＳＨβサブユニットよりも大きい、請求項１５８に記載の突然変異体βサブユニット。
【請求項１６０】ＣＴＥＰが、図３（配列番号：４）に示される核酸によりコードされる、請求項１５４に記載の突然変異体βサブユニット。
【請求項１６１】突然変異体ＴＳＨヘテロ二量体の生物活性が野生型ＴＳＨヘテロ二量体の生物活性よりも大きい、請求項１４５に記載の突然変異体βサブユニットを含む突然変異体ＴＳＨヘテロ二量体。
【請求項１６２】塩基性アミノ酸置換がＦ１ＲおよびＡ１７Ｒからなる群より選択される、請求項１６１に記載の突然変異体ＴＳＨヘテロ二量体。
【請求項１６３】極性アミノ酸置換がＥ６Ｎ、Ｒ１３ＥおよびＲ１４Ｅからなる群より選択される、請求項１６１に記載の突然変異体ＴＳＨヘテロ二量体。
【請求項１６４】Ｉ５８、Ｅ６３およびＬ６９からなる群より選択される位置に１以上の追加の塩基性アミノ酸置換をさらに含む、請求項１６１に記載の突然変異体ＴＳＨヘテロ二量体。
【請求項１６５】１以上の追加の塩基性アミノ酸置換が、Ｉ５８Ｒ、Ｅ６３ＲおよびＬ６９Ｒからなる群より選択される、請求項１６１に記載の突然変異体ＴＳＨヘテロ二量体。
【請求項１６６】βサブユニットが、Ｆ１Ｒ、Ｅ６ＮおよびＡ１７Ｒ置換を含む、請求項１６１に記載の突然変異体ＴＳＨヘテロ二量体。
【請求項１６７】βサブユニットが、Ｆ１ＲおよびＥ６Ｎ置換を含む、請求項１６１に記載の突然変異体ＴＳＨヘテロ二量体。
【請求項１６８】図１（配列番号：１）に示される野生型αサブユニットをさらに含む、請求項１６１に記載の突然変異体ＴＳＨヘテロ二量体。
【請求項１６９】αサブユニットがヒト由来である、請求項１６８に記載の突然変異体ＴＳＨヘテロ二量体。
【請求項１７０】αサブユニットが、Ｔ１１、Ｑ１３、Ｅ１４、Ｐ１６、Ｑ２０、Ｇ２２、Ｎ６６、およびＡ８１からなる群より選択される位置に１以上の塩基性アミノ酸置換をさらに含む、請求項１６８に記載の突然変異体ＴＳＨヘテロ二量体。
【請求項１７１】αサブユニットにおける塩基性アミノ酸置換が、アルギニンまたはリシンである、請求項１７０に記載の突然変異体ＴＳＨヘテロ二量体。
【請求項１７２】ＴＳＨβサブユニットが、図３（配列番号：３）に示される絨毛性性腺刺激ホルモン（ＣＧ）のβサブユニットのカルボキシル末端エクステンションペプチド（ＣＴＥＰ）に結合している、請求項１６１に記載の突然変異体ＴＳＨヘテロ二量体。
【請求項１７３】ＴＳＨβサブユニットが、カルボキシ末端で、ＣＧのカルボキシル末端エクステンションペプチドのアミノ末端に共有結合している、請求項１７２に記載の突然変異体ＴＳＨヘテロ二量体。
【請求項１７４】突然変異体ＴＳＨβサブユニットが、ＣＧのカルボキシル末端エクステンションペプチドにペプチド結合を介して結合している、請求項１７２に記載の突然変異体ＴＳＨヘテロ二量体。
【請求項１７５】ヘテロ二官能性試薬が、ＴＳＨβサブユニットと、ＣＧのカルボキシル末端エクステンションペプチド間の共有結合を形成するために使用される、請求項１７２に記載の突然変異体ＴＳＨヘテロ二量体。
【請求項１７６】ＣＧがヒトＣＧである、請求項１７２に記載の突然変異体ＴＳＨヘテロ二量体。
【請求項１７７】ＣＴＥＰが、図３（配列番号：４）に示される核酸によりコードされる、請求項１７２に記載の突然変異体ＴＳＨヘテロ二量体。
【請求項１７８】αサブユニットとβサブユニットが融合して単一鎖を形成している、請求項１６１に記載の突然変異体ＴＳＨヘテロ二量体。
【請求項１７９】単一鎖突然変異体ＴＳＨの半減期が野生型ＴＳＨの半減期よりも大きい、請求項１７８に記載の突然変異体ＴＳＨヘテロ二量体。
【請求項１８０】突然変異体ＴＳＨヘテロ二量体のインビボでの循環中のホルモン半減期が野生型ＴＳＨよりも大きい、請求項１７９に記載の突然変異体ＴＳＨヘテロ二量体。
【請求項１８１】αサブユニットが、ペプチド・リンカーを介してβサブユニットに結合している、請求項１７８に記載の突然変異体ＴＳＨヘテロ二量体。
【請求項１８２】ペプチド・リンカーが、高いセリン／プロリン含量を有し、重要な二次構造を欠如している、請求項１８１に記載の突然変異体ＴＳＨヘテロ二量体。
【請求項１８３】ペプチド・リンカーが、図３（配列番号：３）に示される絨毛性性腺刺激ホルモン（ＣＧ）のβサブユニットのカルボキシル末端エクステンションペプチド（ＣＴＥＰ）である、請求項１８１に記載の突然変異体ＴＳＨヘテロ二量体。
【請求項１８４】ペプチド・リンカーが、ヒトＣＧのＣＴＥＰである、請求項１８１に記載の突然変異体ＴＳＨヘテロ二量体。
【請求項１８５】ＣＴＥＰが、図３（配列番号：４）に示される核酸によりコードされる、請求項１８４に記載の突然変異体ＴＳＨヘテロ二量体。
【請求項１８６】請求項１６１〜１８５のいずれかに記載の精製された突然変異体ＴＳＨヘテロ二量体。
【請求項１８７】甲状腺機能低下症を治療または予防するのに充分な量の請求項１６１〜１８５のいずれかに記載のＴＳＨヘテロ二量体をそのような治療または予防が望まれる被験体に投与することを包含する、甲状腺機能低下症を治療または予防する方法。
【請求項１８８】甲状腺癌を治療する方法であって、ヨウ素取込みを刺激するのに充分な量の請求項１６１〜１８５のいずれかに記載の突然変異体ＴＳＨヘテロ二量体をそのような治療または予防が望まれる被験体に投与し、続いて甲状腺癌を治療するのに充分な量の放射性標識したヨウ素を該被験体に投与することを包含する、方法。
【請求項１８９】甲状腺癌を診断する方法であって、甲状腺癌細胞によるヨウ素の取込みを刺激するのに充分な量の請求項１６１〜１８５のいずれかに記載の突然変異体ＴＳＨヘテロ二量体および甲状腺癌を診断するのに充分な量の放射性標識したヨウ素を被験体に投与し；該放射性標識したヨウ素を検出することを包含し、ここで、甲状腺疾患を有しない被験体に対する放射性標識されたヨウ素の取込みの増加は該被験体が甲状腺癌を有することを示す、方法。
【請求項１９０】甲状腺癌を診断する方法であって、甲状腺癌細胞によるヨウ素の取込みを刺激するのに充分な量の請求項１６１〜１８５のいずれかに記載の突然変異体ＴＳＨヘテロ二量体および甲状腺癌を診断するのに充分な量の放射性標識したヨウ素を非癌性甲状腺細胞を欠如する被験体に投与し；該放射性標識したヨウ素を検出することを包含し、ここで、放射性標識したヨウ素の取込みの増加は該被験体が甲状腺癌を有することを示す、方法。
【請求項１９１】甲状腺癌を診断する方法であって、インビボでサイログロブリンの放出を刺激するのに充分な量の請求項１６１〜１８５のいずれかに記載の突然変異体ＴＳＨヘテロ二量体を第１被験体に投与し；該第１被験体中のサイログロブリンのレベルを測定することを包含し、ここで、甲状腺癌を有しない第２被験体のサンプル中のサイログロブリン・レベルに対するサイログロブリン・レベルの増加は該第１被験体が甲状腺癌を有することを示す、方法。
【請求項１９２】ＴＳＨレセプターに対する抗体の存在によって特徴付けられる疾患または疾病を診断またはスクリーニングする方法であって、ＴＳＨレセプターを含む培養細胞または単離膜を第１被験体からの抗体を推定的に含むサンプルおよび請求項１６１〜１８５のいずれかに記載の放射性標識された突然変異体ＴＳＨヘテロ二量体の診断的有効量と接触させ；放射性標識された突然変異体ＴＳＨの培養細胞または単離膜への結合を測定することを包含し、ここで、該サンプルの非存在下または該疾患もしくは疾病を有しない第２被験体のサンプルの存在下での結合に対する放射性標識ＴＳＨの結合の低下が該第１被験体中での該疾患または疾病の存在を示す、方法。
【請求項１９３】疾患または疾病がグレーブズ病である、請求項１９２に記載の方法。
【請求項１９４】治療的有効量の請求項１６１〜１８５のいずれかに記載の突然変異体ＴＳＨヘテロ二量体；および薬学的に許容される担体を含む薬学的組成物。
【請求項１９５】甲状腺癌細胞によるヨウ素取込みを刺激するのに充分な量の請求項１６１〜１８５のいずれかに記載の突然変異体ＴＳＨヘテロ二量体；および薬学的に許容される担体を含む診断的組成物。
【請求項１９６】１以上の容器中に治療的有効量の請求項１６１〜１８５のいずれかに記載の突然変異体ＴＳＨヘテロ二量体を含むキット。
【請求項１９７】１以上の容器中に診断的有効量の請求項１６１〜１８５のいずれかに記載の突然変異体ＴＳＨヘテロ二量体を含むキット。
【請求項１９８】請求項１６１〜１８５のいずれかに記載の突然変異体ＴＳＨヘテロ二量体に対する抗体。
【請求項１９９】抗体がモノクローナル抗体である、請求項１９８に記載の抗体。